(57)【要約】【課題】撮像した画像の画像データを通話に関する発着信履歴に関連付けて管理するものではない。【解決手段】携帯電話機の制御部１０７は、ステップＳ１０で終話を検出すると、Ｓ２０で「画像メモ付加設定あり」の場合、表示部１０６に画像メモ撮影確認画面を表示し（Ｓ３０）、キー入力部から「画像メモ撮影する」を選択し、表示部にファインダー画面を表示し（Ｓ４０）、続いて、キー入力部から「画像メモ撮影」の操作をすると、制御部は、カメラ部１０４から画像データを取得し（Ｓ５０）、取得した画像データを発着信履歴に関連付けてメモリ部１０３に記憶し（Ｓ６０）、画像メモ付加終了画面を表示し（Ｓ７０）、キー入力部からの終了指示で処理を終了し、待ち受け画面に移行する（Ｓ８０）。【選択図】      図２
2005278112.tif 000002
【特許請求の範囲】
【請求項１】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話終了時にカメラ撮影状態に移行して、通話に関連した、メモ書き、または資料を前記カメラ部により撮影し、撮影した画像データを画像メモ情報として発着信履歴に関連付けて前記メモリ部に残すことを特徴とする画像メモ情報による発着信履歴関連付け携帯電話機。
【請求項２】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に連付けて前記メモリ部に蓄積することを特徴とする画像メモ情報による発着信履歴関連付け携帯電話機。
【請求項３】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにしたことを特徴とする画像メモ情報による発着信履歴関連付け携帯電話機。
【請求項４】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
無線部と、メモリ部と、カメラ部と、キー入力部と、表示部と、および制御部と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにしたことを特徴とする画像メモ情報による発着信履歴関連付け携帯電話機。
【請求項５】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにしたことを特徴とする画像メモ情報による発着信履歴関連付け携帯電話機。
【請求項６】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話終了時にカメラ撮影状態に移行して、通話に関連した、メモ書き、または資料を前記カメラ部により撮影し、撮影した動画データを画像メモ情報として発着信履歴に関連付けて前記メモリ部に残すことを特徴とする画像メモ情報による発着信履歴関連付け携帯電話機。
【請求項７】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に連付けて前記メモリ部に蓄積することを特徴とする画像メモ情報による発着信履歴関連付け携帯電話機。
【請求項８】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにしたことを特徴とする画像メモ情報による発着信履歴関連付け携帯電話機。
【請求項９】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
無線部と、メモリ部と、カメラ部と、キー入力部と、表示部と、および制御部と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにしたことを特徴とする画像メモ情報による発着信履歴関連付け携帯電話機。
【請求項１０】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにしたことを特徴とする画像メモ情報による発着信履歴関連付け携帯電話機。
【請求項１１】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話終了時にカメラ撮影状態に移行して、通話に関連した、メモ書き、または資料を前記カメラ部により撮影し、撮影した画像データを画像メモ情報として発着信履歴に関連付けて前記メモリ部に残すことを特徴とする携帯電話機の画像メモ情報による発着信履歴関連付け方法。
【請求項１２】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に連付けて前記メモリ部に蓄積することを特徴とする携帯電話機の画像メモ情報による発着信履歴関連付け方法。
【請求項１３】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにしたことを特徴とする携帯電話機の画像メモ情報による発着信履歴関連付け方法。
【請求項１４】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにしたことを特徴とする携帯電話機の画像メモ情報による発着信履歴関連付け方法。
【請求項１５】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにしたことを特徴とする携帯電話機の画像メモ情報による発着信履歴関連付け方法。
【請求項１６】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話終了時にカメラ撮影状態に移行して、通話に関連した、メモ書き、または資料を前記カメラ部により撮影し、撮影した動画データを画像メモ情報として発着信履歴に関連付けて前記メモリ部に残すことを特徴とする携帯電話機の画像メモ情報による発着信履歴関連付け方法。
【請求項１７】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に連付けて前記メモリ部に蓄積することを特徴とする携帯電話機の画像メモ情報による発着信履歴関連付け方法。
【請求項１８】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにしたことを特徴とする携帯電話機の画像メモ情報による発着信履歴関連付け方法。
【請求項１９】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにしたことを特徴とする携帯電話機の画像メモ情報による発着信履歴関連付け方法。
【請求項２０】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにしたことを特徴とする携帯電話機の画像メモ情報による発着信履歴関連付け方法。
【請求項２１】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話終了時にカメラ撮影状態に移行して、通話に関連した、メモ書き、または資料を前記カメラ部により撮影し、撮影した画像データを画像メモ情報として発着信履歴に関連付けて前記メモリ部に残す処理をコンピュータに実行させるための携帯電話機の画像メモ情報による発着信履歴関連付けプログラム。
【請求項２２】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に連付けて前記メモリ部に蓄積する処理をコンピュータに実行させるための携帯電話機の画像メモ情報による発着信履歴関連付けプログラム。
【請求項２３】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにした処理をコンピュータに実行させるための携帯電話機の画像メモ情報による発着信履歴関連付けプログラム。
【請求項２４】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにした処理をコンピュータに実行させるための携帯電話機の画像メモ情報による発着信履歴関連付けプログラム。
【請求項２５】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにした処理をコンピュータに実行させるための携帯電話機の画像メモ情報による発着信履歴関連付けプログラム。
【請求項２６】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話終了時にカメラ撮影状態に移行して、通話に関連した、メモ書き、または資料を前記カメラ部により撮影し、撮影した動画データを画像メモ情報として発着信履歴に関連付けて前記メモリ部に残す処理をコンピュータに実行させるための携帯電話機の画像メモ情報による発着信履歴関連付けプログラム。
【請求項２７】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に連付けて前記メモリ部に蓄積する処理をコンピュータに実行させるための携帯電話機の画像メモ情報による発着信履歴関連付けプログラム。
【請求項２８】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにした処理をコンピュータに実行させるための携帯電話機の画像メモ情報による発着信履歴関連付けプログラム。
【請求項２９】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにした処理をコンピュータに実行させるための携帯電話機の画像メモ情報による発着信履歴関連付けプログラム。
【請求項３０】
無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにした処理をコンピュータに実行させるための携帯電話機の画像メモ情報による発着信履歴関連付けプログラム。
【発明の詳細な説明】
【技術分野】
【０００１】
本発明は画像メモ情報による発着信履歴関連付け携帯電話機と携帯電話機の画像メモ情報による発着信履歴関連付け方法およびプログラムに関し、特に携帯電話機の発着信履歴の利便性をより向上させるべく、通話終了時にカメラ撮影状態に移行して、例えば、資料を見ながら問い合わせの電話をかけた場合や、着信に応答して紙片にメモ書きした場合などに、その資料やメモ書きした紙片を撮影して、撮影した画像を通話内容や通話時の状況を思い出させるための画像メモ情報として発着信履歴に関連付けて残すことを可能とする画像メモ情報による発着信履歴関連付け携帯電話機と携帯電話機の画像メモ情報による発着信履歴関連付け方法およびプログラムに関する。
【背景技術】
【０００２】
従来から、携帯電話機の発着信履歴の利便性を向上させるべく、通話内容や通話時の状況を思い出させるための情報を付加する発明が幾つか公開されている。
【０００３】
従来の技術として、特開平１０−１８７６２７号公報がある（特許文献１参照。）。
【０００４】
これは、搭載された撮像手段で撮像した画像の画像データと個人情報とを関連付けて管理することができる携帯情報端末である。
【０００５】
入力／操作部のシャッタースイッチを押下して所望の画像をデジタルカメラで撮像すると、デジタルカメラで撮像した画像の画像データはＲＡＭの所定領域（撮像画像データメモリ）に格納される。
【０００６】
画像撮像時の時間情報（年月日、時刻）が時計から取得され、この取得した時間情報は格納した画像データに対応付け可能なようにＲＡＭの所定領域（撮像時刻データメモリ）に格納される。
【０００７】
次いで、画像撮像時の時間情報に基づきＲＡＭの所定領域（スケジュールデータメモリ）に格納されている管理テーブル上の時間情報と画像データとが関連付けられる。
【０００８】
この特開平１０−１８７６２７号公報の携帯情報端末は、カレンダー機能を有する計時手段と、画像を撮像する撮像手段と、該撮像手段で撮像した画像の画像データをその撮像日時に対応付けて画像データ記憶手段に格納して管理する画像データ管理手段と、日時に対応付けて個人情報を個人情報記憶手段に格納する。
【０００９】
前記日時と前記個人情報とを対応付けて表すための管理テーブルを用いて前記個人情報を管理する個人情報管理手段と、前記管理テーブルと前記画像データとを表示するための表示手段とを有する携帯情報端末。
【００１０】
前記撮像手段による画像の撮像時にこの画像の撮像日時を前記計時手段から取得し、この取得した撮像日時に基づき該日時に撮像した画像の画像データと前記管理テーブル上の日時とを関連付けるデータ関連付け手段を設けた携帯情報端末。
【００１１】
特開平１０−１８７６２７号公報の携帯情報端末によれば、撮像手段による画像の撮像時にこの画像の撮像日時を計時手段から取得する。
【００１２】
この取得した撮像日時に基づき該日時に撮像した画像の画像データと管理テーブル上の日時とを関連付けるデータ関連付け手段を設けたから、搭載された撮像手段で撮像した画像の画像データと個人情報とを関連付けて管理することができる。
【００１３】
また、データ関連付け手段で、画像データと管理テーブル上の日時とを自動的に関連付けるから、操作に手間を掛けることなく簡単に関連付けを行うことができる。
【００１４】
また、従来技術として、特開２０００−１７４８９１号公報がある（特許文献２参照。）。
【００１５】
これは、着信履歴を電話帳データの登録に利用可能なものにあって、着信履歴の電話番号データが意図せずに削除されてしまうことを未然に防止する。
【００１６】
携帯電話機は、使用者が電話帳データを登録、記憶しておくメモリダイヤル機能、かかってきた電話の相手の電話番号データを記憶する着信履歴の記憶機能を備える。
【００１７】
そして、発信した電話番号データを記憶する発信履歴の記憶機能、留守電時の応答、伝言メモや通話中の音声を録音、再生する録音機能を備える。
【００１８】
着信履歴あるいは発信履歴の電話番号データを利用してそれをメモリダイヤルに登録する機能を設ける。
【００１９】
制御回路は、着信履歴を確認するモードにおいて、所定のキー操作が行われると、表示されている電話番号データを、メモリダイヤルへ登録すべき候補としてロックする。
【００２０】
その際、マイクロホンから入力された音声データを、音声メモ情報として記憶する。
登録時に、その音声メモ情報を再生する。
【００２１】
着信があった相手の電話番号のデータを最新の有限個のものについて自動的に記憶する着信履歴記憶手段と、相手先名及びその電話番号等からなる電話帳データが登録される電話帳データ登録手段とを具備する。
【００２２】
前記着信履歴記憶手段に記憶されている電話番号データを利用してその電話番号に係る電話帳データの登録が可能とされているものであって、使用者の指定操作に基づき、前記着信履歴記憶手段に記憶された任意の電話番号のデータを、前記電話帳データ登録手段に登録すべき候補として保存状態とする電話番号データ保存手段を設けた。
【００２３】
特開２０００−１７４８９１号公報の通信端末装置は、発信履歴を電話帳データの登録に利用可能としたものにある。
【００２４】
使用者の指定操作に基づき、発信履歴記憶手段に記憶された任意の電話番号のデータを、電話帳データ登録手段に登録すべき候補として保存状態とする電話番号データ保存手段を設けたところに特徴を有する。
【００２５】
使用者が、着信があった相手の電話番号あるいは発信した電話番号を、後に電話帳データに登録したいと考えた場合には、電話番号データ保存手段により、その電話番号のデータが、電話帳データ登録手段に登録すべき候補として保存状態とされる。
【００２６】
従って、着信履歴あるいは発信履歴の記憶件数に制限があっても、保存状態とされた電話番号データについては自動的に削除されることがなくなる。
【００２７】
この結果、着信履歴あるいは発信履歴における電話帳データの登録に利用すべき電話番号データが意図せずに削除されてしまうことを未然に防止することができる。
【００２８】
使用者にとっての利便性がより向上するという優れた効果を得ることができる。
【００２９】
この場合、前記電話番号データ保存手段を、前記着信履歴記憶手段又は発信履歴記憶手段に記憶された電話番号のデータを消去不能にロックすることにより保存状態とするように構成することができる。
【００３０】
また、保存状態とされた電話番号データに対して、任意のメモ情報を付加するためのメモ情報付加手段を設けるようにすれば、より効果的となる。
【００３１】
これにより、着信履歴記憶手段に記憶されている電話番号の相手先名などのメモ情報を容易に付加することができる。
【００３２】
この結果、記憶されている電話番号の相手先が誰であるか判らなくなる等の不具合を防止することができる。
【００３３】
さらにこのとき、前記メモ情報付加手段を、音声情報を録音することによりメモ情報を付加するように構成することができる。
【００３４】
これによれば、使用者は、面倒なキー入力操作等を行わずとも、音声により容易にメモ情報を付加させることができる。
【００３５】
このように使用者が、着信があった相手の電話番号あるいは発信した電話番号を、後にメモリダイヤルに登録したいと考えた場合には、簡単な指定操作を行うだけで、その電話番号データをロックすることができる。
【００３６】
従って、着信履歴あるいは発信履歴をメモリダイヤルの登録に利用するにあたり、その記憶件数に制限があっても、
従来のようにメモリダイヤルに登録したいと思っていた電話番号が自動的に削除されてしまう虞のあったものと異なり、
登録すべき電話番号データが意図せずに削除されてしまうことを未然に防止することができ、使用者にとっての利便性がより向上するという優れた効果を得ることができる。
【００３７】
そして、ロックした電話番号データに対して、その電話番号の相手先名などのメモ情報を容易に付加することができるように構成したので、
使用者が着信履歴に記憶されている電話番号の相手先が誰であるのか判らなくなってしまう等の不具合を防止することができる。
【００３８】
しかも、特に本実施例では、音声の録音により、音声メモ情報を付加するようにしたので、使用者がメモ情報の入力を極めて容易に行うことができるといった利点を得ることができる。
【００３９】
尚、着信履歴及び発信履歴の双方について、所望の電話番号データをロックすることができる構成としたが、いずれか一方のみについて電話番号データ保存手段を設けるようにしても良い。
【００４０】
また、電話番号データを保存状態とする方法としては、データをロックするものに限らず、その電話番号データをメモリダイヤル記憶領域１２ａのどこかや記憶部１２内の他の領域にコピーして記憶しておく（いわば仮登録しておく）などであっても良い。
【００４１】
さらには、メモ情報としては、音声によるものに限らず、数文字程度の仮名やローマ字によりメモを残すように構成しても良い。
【００４２】
その他、着信履歴や発信履歴を１件だけ記憶しておくものについても適用することができる。
【００４３】
また、携帯電話機に限らず、ＰＨＳ端末機や一般回線電話等についても適用することができ、さらには、端末装置の構成や操作方法等についても種々の変更が可能である。
【００４４】
また、従来技術として、特開２０００−２５３３７３号公報がある（特許文献３参照。）。
【００４５】
これは、通話相手を表示画面に表示された画像から確実に確認した上で通話することを可能にする。
【００４６】
カメラによって入力された画像情報（顔画像）とキーボードから入力された電話番号とを対応付けてメモリダイヤル情報としてメモリに記憶しておく。
【００４７】
メモリダイヤル情報に記憶された電話番号を用いた発信が行なわれる際に、制御部は、１件分毎に電話番号と画像情報とを表示部の１表示画面中に表示させる。
【００４８】
従って、発信対象とする電話番号の検索が１件分毎に表示される画像情報（通話相手の顔画像）を確認しながら行うことができる。
【００４９】
表示装置が設けられた携帯通信端末において、通信先を示す情報と画像情報とを対応付けた複数組の情報を記憶する記憶手段がある。
【００５０】
前記記憶手段によって記憶された複数組の情報から１組の情報毎に、その画像情報を前記表示装置において表示させる表示手段がある。
【００５１】
前記表示手段によって画像情報が表示された時点での通信実行の指示に応じて、表示中の画像情報に対応して前記記憶手段によって記憶された通信先を示す情報をもとに通信を実行する通信手段とを具備した携帯通信端末。
【００５２】
特開２０００−２５３３７３号公報は、表示装置が設けられた携帯通信端末において、画像情報を入力するカメラと、電話番号と前記カメラによって入力された画像情報とを対応付けた複数組の情報を記憶する記憶手段がある。
【００５３】
前記記憶手段によって記憶された複数組の情報から１組の情報毎に、その画像情報を前記表示装置において表示させる表示手段ある。
【００５４】
前記表示手段をによって画像情報が表示された時点での通信実行の指示に応じて、表示中の画像情報に対応して前記記憶手段によって記憶された電話番号をもとに通信を実行する通信手段とを具備する。
【００５５】
いわゆるメモリダイヤルとして電話番号を記憶させる際にカメラによって撮像された画像、例えば顔画像を記憶手段により記憶させることができる。
こ  の記憶手段により記憶された電話番号を用いて発信を行なう際に、発信対象とする電話番号の検索が１件分毎に表示される画像情報を確認しながら行うことができる。
【００５６】
また、以前の通信で用いられた電話番号を記憶するリダイヤル電話番号記憶手段がある。
【００５７】
前記リダイヤル電話番号記憶手段によって記憶された電話番号と、この電話番号に該当する前記記憶手段に記憶された画像情報とを前記表示装置において表示させるリダイヤル電話番号表示手段ある。
【００５８】
前記リダイヤル電話番号表示手段によって電話番号と画像情報とが表示された時点での通信実行の指示に応じる。
【００５９】
表示中の電話番号をもとに通信を実行するリダイヤル通信手段とを具備する。
【００６０】
リダイヤル電話番号記憶手段に記憶された電話番号を用いて発信を行なう。
【００６１】
発信対象とする電話番号に対応する画像情報（通信相手の顔画像）が表示され、いわゆるリダイヤル発信による通話相手を画像情報によって確認できる。
【００６２】
また、着信に対して応答していない相手の電話番号を記憶する不在着信履歴記憶手段がある。
【００６３】
前記不在着信記憶手段によって記憶された電話番号と、この電話番号に該当する前記記憶手段に記憶された画像情報とを前記表示装置において表示させる不在着信電話番号表示手段がある。
【００６４】
前記不在着信電話番号表示手段によって電話番号と画像情報とが表示された時点での通信実行の指示に応じて、表示中の電話番号をもとに通信を実行する不在着信通信手段とを具備する。
【００６５】
不在着信履歴記憶手段に記憶された電話番号を用いて発信を行なう際に、発信対象とする電話番号に対応する画像情報（通信相手の顔画像）が表示される。
【００６６】
いわゆる不在着信に対して応答するための通話相手を画像情報によって確認できる。
【００６７】
以上特開２０００−２５３３７３号公報によれば、いわゆるメモリダイヤルとして電話番号を記憶させる際にカメラによって撮像された画像、例えば顔画像を記憶手段により記憶させることができる。
【００６８】
この記憶手段により記憶された電話番号を用いて発信を発信対象とする電話番号の検索が１件分毎に表示される画像情報（相手の顔画像）を確認しながら行うことができる。
【００６９】
また、従来技術として、特開２００１−０３６７９０号公報がある（特許文献４参照。）。
【００７０】
これは、デジタルカメラに電話帳機能を持たせたときやデジタルカメラと携帯型電話機を接続するときの操作性の向上を図る。
【００７１】
デジタルカメラに電話番号入力するキー入力部と画像と電話番号を関連づける機能を持たせ、表示時に表示部に電話番号を合わせて表示する。
【００７２】
電話番号とその電話番号の相手の画像を同時表示させ、電話の掛け間違い等を防止することが可能となる。
【００７３】
被写体の撮影により得られた画像を、記録媒体に記録するデジタルカメラ装置において、前記画像を表示する表示部と、電話番号を入力するための番号入力手段がある。
【００７４】
前記入力手段により得られた前記電話番号を、前記記録媒体に記録された画像と対応づけて記録するように記録媒体を管理する記録管理手段と、前記記録されている画像を選択する選択部と、前記選択部により選択された画像を前記表示部に再生する。
【００７５】
該画像に対応する電話番号を合わせて表示することを特徴とするデジタルカメラ装置。
【００７６】
特開２００１−０３６７９０号公報のデジタルカメラ装置では、第１の手段として、被写体の撮影により得られた画像を、記録媒体に記録するデジタルカメラ装置だある。
【００７７】
前記画像を表示する表示部と、電話番号を入力するための番号入力手段と、前記入力手段により得られた前記電話番号を、前記記録媒体に記録された画像と対応づけて記録する。
【００７８】
記録媒体を管理する記録管理手段と、前記記録されている画像を選択する選択部と、前記選択部により選択された画像を前記表示部に再生する。
【００７９】
該画像に対応する電話番号を合わせて表示することを特徴とする。
【００８０】
この手段では、デジタルカメラを電話番号帳として使用するとき、画像と電話番号を対応させて記録する。
【００８１】
画像を表示部に表示したときに、合わせて対応する電話番号を表示することが可能となる。
【００８２】
第２の手段として、被写体の撮影により得られた画像を記録媒体に記録する。
【００８３】
記録された前記画像を表示する表示部を持つデジタルカメラ装置において、記録されている画像のうちの１画像をランダムに選択し、選択された画像を表示する。
【００８４】
この手段では、ランダムに選択された１画像を表示部に表示することで、携帯型電話機で接続相手を決めるときなどに使用する機能で、新たな使用形態の可能性が見込める。
【００８５】
第３の手段として、被写体の撮影により得られた画像を、記録媒体に記録するデジタルカメラ装置において、記録された画像を表示する表示部ある。
【００８６】
前記画像に関連する情報を入力するための情報入力手段と、前記情報を、記録された画像と対応づけて記録媒体に記録する。
【００８７】
この情報を元に該記録媒体に記録されている画像をグループ分けするように前記記録媒体を管理する記録管理手段とからなることを特徴とする。
【００８８】
この手段では、デジタルカメラに記録してある画像に対応した電話番号を利用、あるいは識別情報を入力してき、これを元に画像のグループ化を行うことが可能で、検索がしやすくなる。
【００８９】
第４の手段として、被写体の撮影により得られた画像のデータを記録媒体に記録するデジタルカメラ装置において、記録された前記画像を表示する表示部がある。
【００９０】
情報を入力するための情報入力手段と、前記情報をパスワードとして使用し、前記画像の表示を制約する手段とからなることを特徴とする。
【００９１】
この手段では、パスワード入力手段を持たせたことで、記録してある画像あるいは情報のセキュリティ管理を行うことができる。
【００９２】
以上説明したように、この特開２００１−０３６７９０号公報のデジタルカメラ装置は、電話番号機能を持たせることが可能となり、使用者が欲している電話番号を効率よく探すこと等、利用性の向上を図ることができる。
【００９３】
また、従来技術として、特開２００１−１７７６２２号公報がある（特許文献５参照。）。
【００９４】
これは、記憶する電話番号の入力操作を簡略化し、入力ミスを防止することができる携帯電話機を提供する。
【００９５】
カメラは、記憶する電話番号が表記された電話帳を撮像すると、撮像された画像情報は、表示部へ表示される。
そして、ユーザによって入力部から所定の操作が行われ、ポインタが移動され、記憶すべき電話番号が指示されると、電話番号認識部は、ポインタによって選択された領域内の電話番号（イメージ情報）を文字情報に変換する。
【００９６】
そして、電話番号認識部は、変換した文字情報をＲＡＭへ出力する。
ＲＡＭは、電話番号認識部から出力された文字情報を電話番号として記憶する。
【００９７】
画像を撮像し画像情報を出力するカメラと、前記カメラから出力される画像情報を表示する表示部がある。
【００９８】
前記表示部に表示された画像情報から記憶する電話番号となる画像情報を選択する入力部と、前記入力部が選択した画像情報を文字情報に変換する電話番号認識部がある。
【００９９】
前記電話番号認識部が変換した文字情報を記憶する記憶部と、を有することを特徴とする携帯電話機。
【０１００】
この特開２００１−１７７６２２号公報は、画像を撮像し画像情報を出力するカメラと、前記カメラから出力される画像情報を表示する表示部がある。
【０１０１】
前記表示部に表示された画像情報から記憶する電話番号となる画像情報を選択する入力部と、前記入力部が選択した画像情報を文字情報に変換する電話番号認識部がある。
【０１０２】
前記電話番号認識部が変換した文字情報を記憶する記憶部とを有することを特徴とする。
【０１０３】
以上説明したように、この特開２００１−１７７６２２号公報によれば、記憶する電話番号が表記された紙媒体を撮像し、撮像した画像情報を表示する。
【０１０４】
この表示された画像情報から記憶する電話番号となる画像情報が選択されると、この選択された画像情報を文字情報に変換し、記憶する。
【０１０５】
入力部から記憶すべき電話番号を入力することなく電話番号の登録を行うことができる。これにより、電話番号の登録が簡略化できる。
【０１０６】
電話番号を登録するときに発生する入力ミスを防止することができる効果が得られる。
【０１０７】
また、従来技術として、特開２００１−１８６２３４号公報がある（特許文献６参照。）。
【０１０８】
これは、携帯電話機の履歴機能を単なる通話事実の記録から通話状況の記録機能として利用できるようにする。
【０１０９】
無線処理部と情報処理部と表示部とデータベース部を備えた携帯電話機において、受信履歴をデータベース部に格納すると共に、受信時に送られてきた画像を履歴に関連付けて格納し、受信履歴参照時に取得した画像を表示する。
【０１１０】
無線処理部と情報処理部と表示部とデータベース部を備えた画像を受信可能な携帯電話機において、受信履歴をデータベース部に格納すると共に、受信時に送られてきた画像を受信履歴に関連付けしてデータベース部に格納する。
【０１１１】
受信履歴参照時に受信時に取得した画像を表示することを特徴とした携帯電話機。
【０１１２】
そのため特開２００１−１８６２３４号公報においては、無線処理部と情報処理部と表示部とデータベース部を備えた携帯電話機において、受信履歴をデータベース部に格納すると共に、受信時に送られてきた画像を履歴に関連付けて格納する。
【０１１３】
受信履歴参照時に取得した画像を表示する。
【０１１４】
発信履歴をデータベース部に格納すると共に、受信時に送られてきた画像又は画像入力部から取得した画像を発信履歴に関連付けしてデータベース部に格納する。
【０１１５】
発信履歴参照時に取得した画像を表示する。
【０１１６】
こうすることにより携帯電話機の履歴機能を、単なる通話事実の記録から通話状況の記録機能として利用できるようにするものである。
【０１１７】
このように特開２００１−１８６２３４号公報によれば発信履歴／着信履歴に通話中の画像を付加する。
【０１１８】
、通話中の状況を記録することができるため、履歴を確認することで通話内容を思い出す助けとなり、携帯電話機の履歴機能を、単なる通話事実の記録から通話状況の記録機能として利用できるようにするものである。
【０１１９】
また、従来技術として、特開２００３−１２５４５７号公報がある（特許文献７参照。）。
【０１２０】
これは、ＴＶ電話通信中に送受信される動画像データに位置データを付加する機能を備える。
【０１２１】
且つ発信時及び着信時の履歴データに画像データ及び位置データを関連させて蓄積可能な無線通信端末装置及び無線通信方法を提供する。
【０１２２】
この特開２００３−１２５４５７号公報の無線通信端末装置は、音声の入力を受け音声データを出力するマイクと、画像を撮像して画像データを出力するカメラがある。
【０１２３】
位置を測定して位置データを出力するＧＰＳ受信部と、上記音声データ、画像データ、位置データを少なくとも記憶するメモリがある。
【０１２４】
上記音声データ及び画像データに位置データを付加したデータを送受信する無線部と、この受信した画像データに係る画像と位置データに係る位置情報を併せて表示する表示部と、を有する。
【０１２５】
ＴＶ電話通信中において、動画像と併せて位置情報を表示することで、相手方及び自己の位置情報を確認可能としている。
【０１２６】
音声の入力を受け音声データを出力する音声入力手段と、画像を撮像して画像データを出力する撮像手段と、位置を測定して位置データを出力する位置測定手段とを有する。
【０１２７】
上記音声データ、画像データ、位置データを少なくとも記憶する記憶手段と、上記音声データ及び画像データに位置データを付加したデータを送受信するための通信手段とを有する。
【０１２８】
上記通信手段により受信した画像データに係る画像と位置データに係る位置情報を併せて表示する表示手段と、を有することを特徴とする無線通信端末装置。
【０１２９】
特開２００３−１２５４５７号公報によれば、ＴＶ電話通信中等において、送受信される動画像データに位置データを付加して蓄積し表示する機能を備える。
【０１３０】
且つ発信時及び着信時の履歴データに画像データ及び位置データを関連させて蓄積し表示することが可能な無線通信端末装置及び無線通信方法を提供することができる。
【０１３１】
また、従来技術として、特開２００３−１６３７３６号公報がある（特許文献８参照。）。
【０１３２】
これは、この特開２００３−１６３７３６号公報の目的は、電話番号および文字を入力する手間を省くとともに、入力ミスを防ぎ、電話番号への発信および電話帳登録を容易に行うことができるカメラ付き携帯端末を提供する。
【０１３３】
デジタルカメラ部で作成された画像データを画像情報記憶部に記憶する。
【０１３４】
次に、文字読み取りプログラムエリアに格納しているプログラムで、画像情報記憶部に記憶している画像データから文字コード情報を抽出し、文字情報記憶部に記憶する。
【０１３５】
電話番号抽出プログラムエリアに格納しているプログラムで、文字情報記憶部に記憶している文字コード情報から電話番号として有効な文字列を抽出し、電話番号格納部に記憶する。
【０１３６】
次に、電話番号発信プログラムエリアに格納しているプログラムによって、電話番号格納部に記憶している電話番号に発信する。
【０１３７】
光学的に撮影して画像データを作成するカメラを有し、無線電波を介して基地局と無線で通信を行うカメラ付き携帯端末である。
【０１３８】
前記画像データからコード化可能な領域の情報を文字コード情報として抽出する文字コード情報抽出手段と前記文字コード情報から特定の文字列を抽出する文字列抽出手段とを有するカメラ付き携帯端末。
【０１３９】
この特開２００３−１６３７３６号公報は、光学的に撮影して画像データを作成するカメラを有し、無線電波を介して基地局と無線で通信を行うカメラ付き携帯端末である。
【０１４０】
前記画像データからコード化可能な領域の情報を文字コード情報として抽出する文字コード情報抽出手段と、前記文字コード情報から特定の文字列を抽出する文字列抽出手段とを有する。
【０１４１】
特開２００３−１６３７３６号公報に従えば、画像データからコード化可能な領域の情報を文字コード情報として抽出する文字コード情報抽出手段と、文字コード情報から特定の文字列を抽出する文字列抽出手段を有しているので、コード化が可能でない領域の情報および抽出しなくてもよい文字列などの不要な情報を、予め除去することができ、利用者にとって有用な情報のみを正確に抽出することができる。
また、名刺およびチラシなどに記載されている電話番号などの情報を読み取ることができるので、わざわざ電話番号などをキーで入力する手間を省くことができるとともに、入力ミスを防ぐことができる。
【０１４２】
また、前記特定の文字列が電話番号であるときに、その電話番号に発信する手段を有することを特徴とする。
【０１４３】
特開２００３−１６３７３６号公報に従えば、文字コード情報から抽出した特定の文字列が電話番号であるときに、抽出した電話番号に自動的に発信する。
【０１４４】
電話番号をキーで直接入力する手間を省くことができ、かつ電話番号の入力ミスを防ぐことができる。
【０１４５】
また、前記特定の文字列は、電話番号、名前、住所および電子メールアドレスのうちの少なくともいずれか１つであることを特徴とする。
【０１４６】
また、前記特定の文字列を電話帳に登録する手段を有することを特徴とする。
【０１４７】
特開２００３−１６３７３６号公報に従えば、デジタルカメラ部によって作成された画像データから抽出した文字コード情報から特定の文字列、たとえば電話番号、名前、住所および電子メールアドレスのうちのいずれかの文字列を抽出して、電話帳に登録することができる。
【０１４８】
パソコンおよびスキャナーなどの特別な装置を用意しなくても、電話番号および名前などが書かれた名刺から電話番号および名前などの特定の文字列を抽出する。
【０１４９】
抽出した特定の文字列を携帯端末の電話帳にデータとして、容易に登録することができ、一層の省力化、低コスト化および操作の簡略化を図ることができる。
【０１５０】
また、前記文字コード情報抽出手段によって文字コード情報を抽出するときに、抽出領域を指定する抽出領域指定手段を有することを特徴とする。
【０１５１】
特開２００３−１６３７３６号公報に従えば、抽出領域指定手段によって画像データの座標を指定する。
【０１５２】
被写体である名刺およびチラシなどに、不要な文字および絵が含まれているような場合、不要な文字および絵が含まないような領域を的確に指定でき、画像の読み取りの失敗を防ぐことができる。
【０１５３】
また、前記文字列抽出手段は、キーワードに基づいて前記特定の文字列を抽出することを特徴とする。
【０１５４】
特開２００３−１６３７３６号公報に従えば、デジタルカメラ部によって作成された画像データから抽出した文字コード情報から、たとえば電話番号、名前および住所などの特定の文字列をキーワードに基づいて容易に抽出することができるので、キー操作に特別な手間をかけることなく、確実に電話帳への登録および電話番号への発信を行うことができる。
【０１５５】
以上のように特開２００３−１６３７３６号公報によれば、コード化が可能でない領域の情報および抽出しなくてもよい文字列などの不要な情報を、予め除去することができる。
【０１５６】
利用者にとって有用な情報のみを正確に抽出することができる。
【０１５７】
また、名刺およびチラシなどに記載されている電話番号などの情報を読み取ることができる。
【０１５８】
わざわざ電話番号などをキーで入力する手間を省くことができるとともに、入力ミスを防ぐことができる。
【０１５９】
また、電話番号をキーで直接入力する手間を省くことができ、かつ電話番号の入力ミスを防ぐことができる。
【０１６０】
また、パソコンおよびスキャナーなどの特別な装置を用意しなくても、電話番号および名前などが書かれた名刺から電話番号および名前などの特定の文字列を抽出する。
【０１６１】
抽出した特定の文字列を携帯端末の電話帳にデータとして、容易に登録することができ、一層の省力化、低コスト化および操作の簡略化を図ることができる。
【０１６２】
また、被写体である名刺およびチラシなどに、不要な文字および絵が含まれているような場合、使用者が不要な文字および絵が含まないような領域を的確に指定できる。
【０１６３】
画像の読み取りの失敗を防ぐことができる。
【０１６４】
また、キー操作に特別な手間をかけることなく、確実に電話帳への登録および電話番号への発信を行うことができる。
【０１６５】
また、携帯電話機の使用者個人への簡便な発信および電話帳登録の手段を提供するだけでなく、企業側に対し、カメラ付き携帯端末の利用に適した名刺およびチラシを作成して配布する。
【０１６６】
効果的な商品販促および顧客獲得の手段を提供することができる。
【０１６７】
【特許文献１】特開平１０−１８７６２７号公報（請求項１、段落［００６６］）
【特許文献２】特開２０００−１７４８９１号公報（段落［０００９］〜［００１５］、および［００４５］〜［００４８］）
【特許文献３】特開２０００−２５３３７３号公報（請求項１、段落［０００６］〜［０００８］、［００６７］、および［００６８］）
【特許文献４】特開２００１−０３６７９０号公報（請求項１、段落［０００６］〜［００１３］、および［００３８］）
【特許文献５】特開２００１−１７７６２２号公報（請求項１、段落［０００４］、および［００１４］）
【特許文献６】特開２００１−１８６２３４号公報（請求項１、段落［０００６］、および［００１１］）
【特許文献７】特開２００３−１２５４５７号公報（請求項１、段落［００６５］）
【特許文献８】特開２００３−１６３７３６号公報（請求項１、段落［０００８］〜［００１８］、および［００８５］〜［００９０］）
【発明の開示】
【発明が解決しようとする課題】
【０１６８】
従来の、携帯電話機の発着信履歴の利便性を向上させる機能は、
第１の問題点は、特開平１０−１８７６２７号公報は、撮像した画像の画像データは通話に関する発着信履歴に関連付けて管理するものではない。
【０１６９】
その理由は、携帯情報端末が搭載している撮像手段で撮像した画像データをスケジュール管理に使用しているからである。
【０１７０】
第２の問題点は、特開２０００−１７４８９１号公報は、撮像した画像の画像データを通話に関する発着信履歴に関連付けて管理するものではない。
【０１７１】
その理由は、撮影機能を保有してなく、着信履歴を電話帳データの登録に利用可能なものにあって、着信履歴の電話番号データが意図せずに削除されてしまうことを未然に防止するものであるからである。
【０１７２】
第３の問題点は、特開２０００−２５３３７３号公報は、撮像した画像の画像データを通話に関する発着信履歴に関連付けて管理するものではない。
【０１７３】
その理由は、カメラによって入力された画像情報（顔画像）とキーボードから入力された電話番号とを対応付けてメモリダイヤル情報としてメモリに記憶しておき、通話相手を表示画面に表示された画像から確実に確認した上で通話するものであるからである。
【０１７４】
第４の問題点は、特開２００１−０３６７９０号公報は、撮像した画像の画像データを通話に関する発着信履歴に関連付けて管理するものではない。
【０１７５】
その理由は、デジタルカメラに電話帳機能を持たせたときやデジタルカメラと携帯型電話機を接続するときの操作性の向上を図るもので、デジタルカメラに電話番号入力するキー入力部と画像と電話番号を関連づける機能を持たせ、表示時に表示部に電話番号を合わせて表示することで、電話番号とその電話番号の相手の画像を同時表示させ、電話の掛け間違い等を防止するものであるからである。
【０１７６】
第５の問題点は、特開２００１−１７７６２２号公報、撮像した画像の画像データを通話に関する発着信履歴に関連付けて管理するものではない。
【０１７７】
その理由は、記憶する電話番号の入力操作を簡略化し、入力ミスを防止することができる携帯電話機であって、カメラは、記憶する電話番号が表記された電話帳を撮像し、電話番号（イメージ情報）を文字情報に変換し、文字情報を電話番号として記憶しているだけである。
【０１７８】
第６の問題点は、特開２００１−１８６２３４号公報、撮像した画像の画像データを通話に関する発着信履歴に関連付けて管理するものではない。
【０１７９】
その理由は、携帯電話機の履歴機能を単なる通話事実の記録から通話状況の記録機能として利用できるようにするもので、受信時に送られてきた画像を履歴に関連付けて格納し、受信履歴参照時に取得した画像を表示するもので、携帯電話機としては撮影機能を備えてないからである。
【０１８０】
第７の問題点は、特開２００３−１２５４５７号公報、撮像した画像の画像データを通話に関する発着信履歴に関連付けて管理するものではない。
【０１８１】
その理由は、ＴＶ電話通信中に送受信される動画像データに位置データを付加する機能を備え、且つ発信時及び着信時の履歴データに画像データ及び位置データを関連させて蓄積するものであるからである。
【０１８２】
第８の問題点は、特開２００３−１６３７３６号公報、撮像した画像の画像データを通話に関する発着信履歴に関連付けて管理するものではない。
【０１８３】
その理由は、特開２００３−１６３７３６号公報の目的は、電話番号および文字を入力する手間を省くとともに、入力ミスを防ぎ、電話番号への発信および電話帳登録を容易に行うことができるカメラ付き携帯端末であって、デジタルカメラ部で作成された画像データを画像情報記憶部に記憶し、文字読み取りプログラムエリアに格納しているプログラムによって、画像情報記憶部に記憶している画像データから文字コード情報を抽出し、文字情報記憶部に記憶するものであるからである。
（発明の目的）
本発明の目的は、通話終了時にカメラ撮影状態に移行して、資料を見ながら問い合わせの電話をかけた場合や、着信に応答して紙片にメモ書きした場合などに、その資料やメモ書きした紙片を撮影して、撮影した画像を通話内容や通話時の状況を思い出させるための画像メモ情報として発着信履歴に関連付けて残すことによって、携帯電話機の発着信履歴の利便性をより向上させる、画像メモ情報による発着信履歴関連付け携帯電話機と携帯電話機の画像メモ情報による発着信履歴関連付け方法およびプログラムを提供することにある。
【課題を解決するための手段】
【０１８４】
第１の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話終了時にカメラ撮影状態に移行して、通話に関連した、メモ書き、または資料を前記カメラ部により撮影し、撮影した画像データを画像メモ情報として発着信履歴に関連付けて前記メモリ部に残すことを特徴とする画像メモ情報による発着信履歴関連付け携帯電話機。
【０１８５】
また、第２の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に連付けて前記メモリ部に蓄積することを特徴とする画像メモ情報による発着信履歴関連付け携帯電話機。
【０１８６】
また、第３の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにしたことを特徴とする画像メモ情報による発着信履歴関連付け携帯電話機。
【０１８７】
また、第４の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
無線部と、メモリ部と、カメラ部と、キー入力部と、表示部と、および制御部と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにしたことを特徴とする画像メモ情報による発着信履歴関連付け携帯電話機。
【０１８８】
また、第５の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにしたことを特徴とする画像メモ情報による発着信履歴関連付け携帯電話機。
【０１８９】
また、第６の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話終了時にカメラ撮影状態に移行して、通話に関連した、メモ書き、または資料を前記カメラ部により撮影し、撮影した動画データを画像メモ情報として発着信履歴に関連付けて前記メモリ部に残すことを特徴とする画像メモ情報による発着信履歴関連付け携帯電話機。
【０１９０】
また、第７の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に連付けて前記メモリ部に蓄積することを特徴とする画像メモ情報による発着信履歴関連付け携帯電話機。
【０１９１】
また、第８の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにしたことを特徴とする画像メモ情報による発着信履歴関連付け携帯電話機。
【０１９２】
また、第９の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
無線部と、メモリ部と、カメラ部と、キー入力部と、表示部と、および制御部と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにしたことを特徴とする画像メモ情報による発着信履歴関連付け携帯電話機。
【０１９３】
また、第１０の発明の画像メモ情報による発着信履歴関連付け携帯電話機は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備え、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにしたことを特徴とする画像メモ情報による発着信履歴関連付け携帯電話機。
【０１９４】
また、第１１の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話終了時にカメラ撮影状態に移行して、通話に関連した、メモ書き、または資料を前記カメラ部により撮影し、撮影した画像データを画像メモ情報として発着信履歴に関連付けて前記メモリ部に残すことを特徴とする携帯電話機の画像メモ情報による発着信履歴関連付け方法。
【０１９５】
また、第１２の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に連付けて前記メモリ部に蓄積することを特徴とする携帯電話機の画像メモ情報による発着信履歴関連付け方法。
【０１９６】
また、第１３の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにしたことを特徴とする携帯電話機の画像メモ情報による発着信履歴関連付け方法。
【０１９７】
また、第１４の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにしたことを特徴とする携帯電話機の画像メモ情報による発着信履歴関連付け方法。
【０１９８】
また、第１５の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにしたことを特徴とする携帯電話機の画像メモ情報による発着信履歴関連付け方法。
【０１９９】
また、第１６の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話終了時にカメラ撮影状態に移行して、通話に関連した、メモ書き、または資料を前記カメラ部により撮影し、撮影した動画データを画像メモ情報として発着信履歴に関連付けて前記メモリ部に残すことを特徴とする携帯電話機の画像メモ情報による発着信履歴関連付け方法。
【０２００】
また、第１７の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に連付けて前記メモリ部に蓄積することを特徴とする携帯電話機の画像メモ情報による発着信履歴関連付け方法。
【０２０１】
また、第１８の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにしたことを特徴とする携帯電話機の画像メモ情報による発着信履歴関連付け方法。
【０２０２】
また、第１９の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにしたことを特徴とする携帯電話機の画像メモ情報による発着信履歴関連付け方法。
【０２０３】
また、第２０の発明の携帯電話機の画像メモ情報による発着信履歴関連付け方法は、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた携帯電話機の画像メモ情報による発着信履歴関連付け方法であって、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにしたことを特徴とする携帯電話機の画像メモ情報による発着信履歴関連付け方法。
【０２０４】
また、第２１の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話終了時にカメラ撮影状態に移行して、通話に関連した、メモ書き、または資料を前記カメラ部により撮影し、撮影した画像データを画像メモ情報として発着信履歴に関連付けて前記メモリ部に残す処理をコンピュータに実行させる。
【０２０５】
また、第２２の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に連付けて前記メモリ部に蓄積する処理をコンピュータに実行させる。
【０２０６】
また、第２３の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
取得した前記画像データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにした処理をコンピュータに実行させる。
【０２０７】
また、第２４の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにした処理をコンピュータに実行させる。
【０２０８】
また、第２５の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて画像の撮影を行う手段と、前記メモリ部は発着信履歴、前記カメラ部からの画像データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、画像データを取得し、
表示部に撮影した画像を表示し、
撮影成功により、キー入力部から撮影画像を付加するを選択し、
取得した画像データを発着信履歴に関連付けて前記メモリ部に蓄積することにより、
画像を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、画像データを取得し、
取得した前記画像データを発着信履歴に関連付けて前記メモリ部に蓄積することにより、
複数枚の画像データを発着信履歴に関連付けて付加するようにした処理をコンピュータに実行させる。
【０２０９】
また、第２６の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話終了時にカメラ撮影状態に移行して、通話に関連した、メモ書き、または資料を前記カメラ部により撮影し、撮影した動画データを画像メモ情報として発着信履歴に関連付けて前記メモリ部に残す処理をコンピュータに実行させる。
【０２１０】
また、第２７の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に連付けて前記メモリ部に蓄積する処理をコンピュータに実行させる。
【０２１１】
また、第２８の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
取得した前記動画データを発着信履歴に関連付けて前記メモリ部に蓄積し、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにした処理をコンピュータに実行させる。
【０２１２】
また、第２９の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにした処理をコンピュータに実行させる。
【０２１３】
また、第３０の発明の携帯電話機の画像メモ情報による発着信履歴関連付けプログラムは、無線部と、メモリ部と、カメラ部と、キー入力部と、表示部と、および制御部と、を備え、
前記無線部は基地局との間で無線通信を行う手段と、前記キー入力部および前記表示部はマンマシンインターフェイスとして、機能設定操作、画像撮影操作、発着信履歴の確認に使用する手段と、前記カメラ部は前記キー入力部からの画像撮影操作に基づいて動画の撮影を行う手段と、前記メモリ部は発着信履歴、前記カメラ部からの動画データ、前記前記キー入力部からの機能設定の有無を記憶する手段と、前記制御部は前記無線部と、前記メモリ部と、前記カメラ部と、前記キー入力部と、および前記表示部に接続し、前記各部を制御する手段と、を備えた画像メモ情報による発着信履歴関連付け携帯電話機における携帯電話機の画像メモ情報による発着信履歴関連付け処理において、
通話状態において、前記制御部は、前記無線部を通して相手からの終話またはキー入力部からの終話を検出し、
画像メモ情報を発着信履歴に関連付けて残す設定として前記表示部を参照し前記キー入力部から予め前記メモリ部に登録された画像メモ付加設定の有無を前記制御部はメモリ部を参照し、前記画像メモ付加設定の有無を判断し、
制御部は、画像メモ付加設定有りの場合、画像メモ撮影するを選択することにより、制御部は表示部にファインダー画面を表示し、
画像メモ撮影の操作により、動画データを取得し、
表示部に撮影した動画を表示し、
撮影成功により、キー入力部から撮影動画を付加するを選択し、
取得した動画データを発着信履歴に関連付けて前記メモリ部に蓄積することにより、
動画を確認した後に発着信履歴に関連付けて付加するようにし、
続いて、画像メモを継続して撮影する場合、画像メモ撮影を継続することを選択することにより、
再度、制御部は表示部にファインダー画面を表示し、
画像メモ撮影の操作により、動画データを取得し、
取得した前記動画データを発着信履歴に関連付けて前記メモリ部に蓄積することにより、
複数枚の動画データを発着信履歴に関連付けて付加するようにした処理をコンピュータに実行させる。
【発明の効果】
【０２１４】
以上説明したように、本発明の画像メモ情報による発着信履歴関連付け携帯電話機と携帯電話機の画像メモ情報による発着信履歴関連付け方法およびプログラムは、
第１の効果は、発着信履歴を見た時に通話内容や通話時の状況を思い出すことが容易になり、携帯電話機の利便性をより向上させることができることである。
通話終了時にカメラ撮影状態に移行して、資料を見ながら問い合わせの電話をかけた場合や、着信に応答して紙片にメモ書きした場合などに、その資料やメモ書きした紙片を撮影することができるため、通話内容や通話時の状況を思い出させる情報量の多い画像メモ情報を効率的に発着信履歴に付加することができ、後で発着信履歴を見た時に通話内容や通話時の状況を思い出すことが容易になり、携帯電話機の利便性をより向上させることができる。
【０２１５】
その理由は、通話終了時にカメラ撮影状態に移行して、資料を見ながら問い合わせの電話をかけた場合や、着信に応答して紙片にメモ書きした場合などに、その資料やメモ書きした紙片を、携帯電話機が保有するカメラで、撮影することができるため、通話内容や通話時の状況を思い出させる情報量の多い画像メモ情報を効率的に発着信履歴に付加することができ、後で発着信履歴を見た時に通話内容や通話時の状況を思い出すことが容易になるからである。
【発明を実施するための最良の形態】
【０２１６】
次に、本発明を実施するための最良の形態について図面を参照して詳細に説明する。
【０２１７】
本発明は、携帯電話機の発着信履歴の利便性をより向上させるべく、通話終了時にカメラ撮影状態に移行して、例えば、資料を見ながら問い合わせの電話をかけた場合や、着信に応答して紙片にメモ書きした場合などに、その資料やメモ書きした紙片を撮影して、撮影した画像を通話内容や通話時の状況を思い出させるための画像メモ情報として発着信履歴に関連付けて残すことを可能とする画像メモ情報による発着信履歴関連付け携帯電話機と携帯電話機の画像メモ情報による発着信履歴関連付け方法およびプログラムである。
【０２１８】
まず、本発明の第１の実施の形態について、図１を参照して詳細に説明する。
【０２１９】
図１は本発明の画像メモ情報による発着信履歴関連付け携帯電話機と携帯電話機の画像メモ情報による発着信履歴関連付け方法およびプログラムの携帯電話機の一実施の形態を示すブロック図である。
【０２２０】
図１を参照すると、本発明の画像メモ情報による発着信履歴関連付け携帯電話機は、アンテナ１０１と、無線部１０２と、メモリ部１０３と、カメラ部１０４と、キー入力部１０５と、表示部１０６と、および制御部１０７とを含んで構成される。
【０２２１】
アンテナ１０１は、無線部１０２に接続され公衆基地局（図示されてない）との間で無線通信を行い、キー入力部１０５および表示部１０６はマンマシンインターフェイスとして、機能設定操作、画像撮影操作、発着信履歴の確認等に使用される。
【０２２２】
カメラ部１０４はキー入力部１０５からの画像撮影操作に基づいて画像を撮影（画像データ取り込み）を行う。
【０２２３】
メモリ部１０３には発着信履歴、カメラ部１０４からの画像データ、キー入力部１０５からの機能設定の有無などが記憶される。
【０２２４】
無線部１０２と、メモリ部１０３と、カメラ部１０４と、キー入力部１０５と、そして表示部１０６は、制御部１０７に接続され、制御部１０７はこれらを制御する。
【０２２５】
次に、本発明を実施するための最良の形態の動作について図面を参照して説明する。
【０２２６】
まず、本発明の第１の実施の形態の動作について、図２を参照して詳細に説明する。
【０２２７】
図２は本発明の第１の実施の形態の画像メモ情報による発着信履歴関連付け携帯電話機と携帯電話機の画像メモ情報による発着信履歴関連付け方法およびプログラムの一実施の形態の動作を示す流れ図である。
【０２２８】
通話状態において、制御部１０７は、アンテナ１０１と無線部１０２を通して相手からの終話またはキー入力部１０５からの終話を検出する（ステップＳ１０）。
【０２２９】
「画像メモ付加設定の有無」をメモリ部１０３を参照して判断する（ステップＳ２０）。
【０２３０】
「画像メモ付加設定」は、画像メモ情報を発着信履歴に関連付けて残す設定であり、使用者が表示部１０６を見ながらキー入力部１０５を操作して予め設定される。
【０２３１】
キー入力部１０５から設定された画像メモ付加設定情報はメモリ部１０３に記憶されている。
【０２３２】
制御部１０７は、ステップＳ２０で「画像メモ付加設定あり」の場合（ステップＳ２０のＹＥＳ）、表示部１０６に画像メモ撮影確認画面として「画像メモ撮影しますか？」の表示をする（ステップＳ３０）。
【０２３３】
使用者がキー入力部１０５から「画像メモ撮影する」を選択すると（ステップＳ３０のＹＥＳ）、制御部１０７は表示部１０６にファインダー画面を表示する（ステップＳ４０）。
【０２３４】
続いて、使用者がキー入力部１０５から「画像メモ撮影」の操作をすると（、制御部１０７は、カメラ部１０４から画像データを取得する（ステップＳ５０）。
【０２３５】
取得した画像データを発着信履歴に対応付けて（関連付けて）メモリ部１０３に蓄積する（ステップＳ６０）。
【０２３６】
次に、表示部１０６に画像メモ付加終了画面を表示する（ステップＳ７０）。
【０２３７】
使用者がキー入力部１０５から終了を指示すると、一連の「画像メモ付加設定あり」の場合における、画像メモ撮影をして、撮影した画像データを発着信履歴に対応付けて（関連付けて）メモリ部１０３に蓄積する処理を終了し、待ち受け画面に移行する（ステップＳ８０）。
【０２３８】
また、ステップＳ２０で「画像メモ付加設定なし」の場合と（ステップＳ２０のＮＯ）、ステップＳ３０で使用者がキー入力部１０５から「画像メモ撮影しない」を選択した場合には（ステップＳ３０のＮＯ）、待ち受け画面に移行する（ステップＳ８０）。
【０２３９】
次に、本発明の第２の実施の形態について、図面を参照して詳細に説明する。
【０２４０】
本発明の第２の実施の形態の携帯電話機の一実施の形態のブロック図も、図１の本発明の画像メモ情報による発着信履歴関連付け携帯電話機と携帯電話機の画像メモ情報による発着信履歴関連付け方法およびプログラムの携帯電話機の一実施の形態を示すブロック図と同じであるである。
【０２４１】
まず、本発明の第２の実施の形態の動作について、図３を参照して詳細に説明する。
【０２４２】
図３は本発明の第２の実施の形態の画像メモ情報による発着信履歴関連付け携帯電話機と携帯電話機の画像メモ情報による発着信履歴関連付け方法およびプログラムの一実施の形態の動作を示す流れ図である。
【０２４３】
図３は本発明の第１の実施の形態における図２に示す流れ図にステップＳ７５の動作を加えた流れ図であり、複数枚の画像を発着信履歴に付加できるようにしたものである。
【０２４４】
通話状態において、制御部１０７は、アンテナ１０１と無線部１０２を通して相手からの終話またはキー入力部１０５からの終話を検出する（ステップＳ１０）。
【０２４５】
「画像メモ付加設定の有無」をメモリ部１０３を参照して判断する（ステップＳ２０）。
【０２４６】
「画像メモ付加設定」は、画像メモ情報を発着信履歴に関連付けて残す設定であり、使用者が表示部１０６を見ながらキー入力部１０５を操作して予め設定される。
【０２４７】
キー入力部１０５から設定された画像メモ付加設定情報はメモリ部１０３に記憶されている。
【０２４８】
制御部１０７は、ステップＳ２０で「画像メモ付加設定あり」の場合（ステップＳ２０のＹＥＳ）、表示部１０６に画像メモ撮影確認画面として「画像メモ撮影しますか？」の表示をする（ステップＳ３０）。
【０２４９】
使用者がキー入力部１０５から「画像メモ撮影する」を選択すると（ステップＳ３０のＹＥＳ）、制御部１０７は表示部１０６にファインダー画面を表示する（ステップＳ４０）。
【０２５０】
続いて、使用者がキー入力部１０５から「画像メモ撮影」の操作をすると（、制御部１０７は、カメラ部１０４から画像データを取得する（ステップＳ５０）。
【０２５１】
取得した画像データを発着信履歴に対応付けて（関連付けて）メモリ部１０３に蓄積する（ステップＳ６０）。
【０２５２】
次に、表示部１０６に画像メモ付加終了画面を表示する（ステップＳ７０）。
【０２５３】
続いて、表示部１０６に画像メモ撮影継続確認画面として「画像メモ撮影を継続しますか？」の表示をする（ステップＳ７５）。
【０２５４】
使用者がキー入力部１０５から「画像メモ撮影を継続する」を選択すると（ステップＳ７５のＹＥＳ）、制御部１０７は、ステップＳ４０に戻って表示部１０６にファインダー画面を表示する（ステップＳ４０）。
【０２５５】
前記本発明の第１の実施の形態の動作と同様にステップＳ５０を経て、複数の画像データを発着信履歴に関連付けてメモリ部１０３に記憶する（ステップＳ６０）。
【０２５６】
続いて、表示部１０６に画像メモ付加終了画面を表示する（ステップＳ７０）。
【０２５７】
使用者がキー入力部１０５から終了を指示すると、一連の「画像メモ付加設定あり」の場合における、画像メモ撮影をして、撮影した画像データを発着信履歴に対応付けて（関連付けて）メモリ部１０３に蓄積する処理を終了し、待ち受け画面に移行する（ステップＳ８０）。
【０２５８】
ステップＳ２０で「画像メモ付加設定なし」の場合と（ステップＳ２０のＮＯ）、ステップＳ３０で使用者がキー入力部１０５から「画像メモ撮影しない」を選択した場合と（ステップＳ３０のＮＯ）、ステップＳ７５で使用者がキー入力部１０５から「画像メモ撮影を継続しない」を選択した場合には（ステップＳ７５のＮＯ）、待ち受け画面に移行する（ステップＳ８０）。
【０２５９】
次に、本発明の第３の実施の形態について、図面を参照して詳細に説明する。
【０２６０】
本発明の第３の実施の形態の携帯電話機の一実施の形態のブロック図も、図１の本発明の画像メモ情報による発着信履歴関連付け携帯電話機と携帯電話機の画像メモ情報による発着信履歴関連付け方法およびプログラムの携帯電話機の一実施の形態を示すブロック図と同じであるである。
【０２６１】
まず、本発明の第３の実施の形態の動作について、図４を参照して詳細に説明する。
【０２６２】
図４は本発明の第３の実施の形態の画像メモ情報による発着信履歴関連付け携帯電話機と携帯電話機の画像メモ情報による発着信履歴関連付け方法およびプログラムの一実施の形態の動作を示す流れ図である。
【０２６３】
図４は本発明の第１の実施の形態における図２に示す流れ図にステップＳ５５の動作を加えた流れ図であり、画像を確認した後に発着信履歴に付加するようにしたものである。
【０２６４】
通話状態において、制御部１０７は、アンテナ１０１と無線部１０２を通して相手からの終話またはキー入力部１０５からの終話を検出する（ステップＳ１０）。
【０２６５】
「画像メモ付加設定の有無」をメモリ部１０３を参照して判断する（ステップＳ２０）。
【０２６６】
「画像メモ付加設定」は、画像メモ情報を発着信履歴に関連付けて残す設定であり、使用者が表示部１０６を見ながらキー入力部１０５を操作して予め設定される。
【０２６７】
キー入力部１０５から設定された画像メモ付加設定情報はメモリ部１０３に記憶されている。
【０２６８】
制御部１０７は、ステップＳ２０で「画像メモ付加設定あり」の場合（ステップＳ２０のＹＥＳ）、表示部１０６に画像メモ撮影確認画面として「画像メモ撮影しますか？」の表示をする（ステップＳ３０）。
【０２６９】
使用者がキー入力部１０５から「画像メモ撮影する」を選択すると（ステップＳ３０のＹＥＳ）、制御部１０７は表示部１０６にファインダー画面を表示する（ステップＳ４０）。
【０２７０】
続いて、使用者がキー入力部１０５から「画像メモ撮影」の操作をすると（、制御部１０７は、カメラ部１０４から画像データを取得する（ステップＳ５０）。
【０２７１】
表示部１０６に撮影した画像を表示して撮影画像添付確認画面として「画像メモ撮影を付加しますか（撮影成功）？」の表示をするを表示する（ステップＳ５５）。
【０２７２】
使用者がキー入力部１０５から「撮影画像を付加する（撮影成功）」を選択すると（ステップＳ５５のＹＥＳ）、制御部１０７は、取得した画像データを発着信履歴に対応付けて（関連付けて）メモリ部１０３に蓄積する（ステップＳ６０）。
【０２７３】
次に、表示部１０６に画像メモ付加終了画面を表示する（ステップＳ７０）。
【０２７４】
使用者がキー入力部１０５から終了を指示すると、一連の「画像メモ付加設定あり」の場合における、画像メモ撮影をして、撮影した画像データを発着信履歴に対応付けて（関連付けて）メモリ部１０３に蓄積する処理を終了し、待ち受け画面に移行する（ステップＳ８０）。
【０２７５】
ステップＳ５５で使用者がキー入力部１０５から「撮影画像を付加しない（撮影失敗）」を選択すると（ステップＳ５５のＮＯ）、制御部１０７は、ステップＳ４０に戻って表示部１０６にファインダー画面を表示する（ステップＳ４０）。
【０２７６】
以下ステップＳ５０に続く。
【０２７７】
ステップＳ２０で「画像メモ付加設定なし」の場合と（ステップＳ２０のＮＯ）、ステップＳ３０で使用者がキー入力部１０５から「画像メモ撮影しない」を選択した場合と（ステップＳ３０のＮＯ）、ステップＳ７５で使用者がキー入力部１０５から「画像メモ撮影を継続しない」を選択した場合には（ステップＳ７５のＮＯ）、待ち受け画面に移行する（ステップＳ８０）。
【０２７８】
次に、本発明の第４の実施の形態について、図面を参照して詳細に説明する。
【０２７９】
本発明の第４の実施の形態の携帯電話機の一実施の形態のブロック図も、図１の本発明の画像メモ情報による発着信履歴関連付け携帯電話機と携帯電話機の画像メモ情報による発着信履歴関連付け方法およびプログラムの携帯電話機の一実施の形態を示すブロック図と同じであるである。
【０２８０】
まず、本発明の第４の実施の形態の動作について、図５を参照して詳細に説明する。
【０２８１】
図５は本発明の第４の実施の形態の画像メモ情報による発着信履歴関連付け携帯電話機と携帯電話機の画像メモ情報による発着信履歴関連付け方法およびプログラムの一実施の形態の動作を示す流れ図である。
【０２８２】
図５は本発明の第１の実施の形態における図２に示す流れ図にステップＳ５５とステップＳ７５の動作を加えた流れ図である。
【０２８３】
図５は本発明の第１の実施の形態における図２に示す流れ図に第３の実施の形態におけるステップＳ５５の画像を確認した後に発着信履歴に付加するようにしたものである。
【０２８４】
また、図５は本発明の第１の実施の形態における図２に示す流れ図に第２の実施の形態におけるステップＳ７５の複数枚の画像を発着信履歴に付加できるようにしたものである。
【０２８５】
通話状態において、制御部１０７は、アンテナ１０１と無線部１０２を通して相手からの終話またはキー入力部１０５からの終話を検出する（ステップＳ１０）。
【０２８６】
「画像メモ付加設定の有無」をメモリ部１０３を参照して判断する（ステップＳ２０）。
【０２８７】
「画像メモ付加設定」は、画像メモ情報を発着信履歴に関連付けて残す設定であり、使用者が表示部１０６を見ながらキー入力部１０５を操作して予め設定される。
【０２８８】
キー入力部１０５から設定された画像メモ付加設定情報はメモリ部１０３に記憶されている。
【０２８９】
制御部１０７は、ステップＳ２０で「画像メモ付加設定あり」の場合（ステップＳ２０のＹＥＳ）、表示部１０６に画像メモ撮影確認画面として「画像メモ撮影しますか？」の表示をする（ステップＳ３０）。
【０２９０】
使用者がキー入力部１０５から「画像メモ撮影する」を選択すると（ステップＳ３０のＹＥＳ）、制御部１０７は表示部１０６にファインダー画面を表示する（ステップＳ４０）。
【０２９１】
続いて、使用者がキー入力部１０５から「画像メモ撮影」の操作をすると（、制御部１０７は、カメラ部１０４から画像データを取得する（ステップＳ５０）。
【０２９２】
表示部１０６に撮影した画像を表示して撮影画像添付確認画面として「画像メモ撮影を付加しますか（撮影成功）？」の表示をするを表示する（ステップＳ５５）。
【０２９３】
使用者がキー入力部１０５から「撮影画像を付加する（撮影成功）」を選択すると（ステップＳ５５のＹＥＳ）、制御部１０７は、取得した画像データを発着信履歴に対応付けて（関連付けて）メモリ部１０３に蓄積する（ステップＳ６０）。
【０２９４】
次に、表示部１０６に画像メモ付加終了画面を表示する（ステップＳ７０）。
【０２９５】
ステップＳ５５で使用者がキー入力部１０５から「撮影画像を付加しない（撮影失敗）」を選択すると（ステップＳ５５のＮＯ）、制御部１０７は、ステップＳ４０に戻って表示部１０６にファインダー画面を表示する（ステップＳ４０）。
【０２９６】
以下ステップＳ５０に続く。
【０２９７】
続いて、表示部１０６に画像メモ撮影継続確認画面として「画像メモ撮影を継続しますか？」の表示をする（ステップＳ７５）。
【０２９８】
使用者がキー入力部１０５から「画像メモ撮影を継続する」を選択すると（ステップＳ７５のＹＥＳ）、制御部１０７は、ステップＳ４０に戻って表示部１０６にファインダー画面を表示する（ステップＳ４０）。
【０２９９】
前記本発明の第１の実施の形態の動作と同様にステップＳ５０を経て、複数の画像データを発着信履歴に関連付けてメモリ部１０３に記憶する（ステップＳ６０）。
【０３００】
続いて、表示部１０６に画像メモ付加終了画面を表示する（ステップＳ７０）。
【０３０１】
使用者がキー入力部１０５から終了を指示すると、一連の「画像メモ付加設定あり」の場合における、画像メモ撮影をして、撮影した画像データを発着信履歴に対応付けて（関連付けて）メモリ部１０３に蓄積する処理を終了し、待ち受け画面に移行する（ステップＳ８０）。
【０３０２】
ステップＳ２０で「画像メモ付加設定なし」の場合と（ステップＳ２０のＮＯ）、ステップＳ３０で使用者がキー入力部１０５から「画像メモ撮影しない」を選択した場合と（ステップＳ３０のＮＯ）、ステップＳ７５で使用者がキー入力部１０５から「画像メモ撮影を継続しない」を選択した場合には（ステップＳ７５のＮＯ）、待ち受け画面に移行する（ステップＳ８０）。
【０３０３】
以上、本発明の実施の形態について第１の実施の形態からて第４の実施の形態までの４つの実施の形態を説明したが、本発明はこれらの実施の形態に限定されることはない。
【０３０４】
その主旨を逸脱しない範囲で種種の改良、変更が可能であることは勿論である。
【０３０５】
例えば、前述したそれぞれの実施の形態において、発着信履歴に付加する画像を動画としても良い。
【図面の簡単な説明】
【０３０６】
【図１】本発明の画像メモ情報による発着信履歴関連付け携帯電話機と携帯電話機の画像メモ情報による発着信履歴関連付け方法およびプログラムの携帯電話機の一実施の形態を示すブロック図である。
【図２】本発明の第１の実施の形態の画像メモ情報による発着信履歴関連付け携帯電話機と携帯電話機の画像メモ情報による発着信履歴関連付け方法およびプログラムの一実施の形態の動作を示す流れ図である。
【図３】本発明の第２の実施の形態の画像メモ情報による発着信履歴関連付け携帯電話機と携帯電話機の画像メモ情報による発着信履歴関連付け方法およびプログラムの一実施の形態の動作を示す流れ図である。
【図４】本発明の第３の実施の形態の画像メモ情報による発着信履歴関連付け携帯電話機と携帯電話機の画像メモ情報による発着信履歴関連付け方法およびプログラムの一実施の形態の動作を示す流れ図である。
【図５】本発明の第４の実施の形態の画像メモ情報による発着信履歴関連付け携帯電話機と携帯電話機の画像メモ情報による発着信履歴関連付け方法およびプログラムの一実施の形態の動作を示す流れ図である。
【符号の説明】
【０３０７】
１０１    アンテナ
１０２    無線部
１０３    メモリ部
１０４    カメラ部
１０５    キー入力部
１０６    表示部
１０７    制御部
【図１】
2005278112.tif 000003
【図２】
2005278112.tif 000004
【図３】
2005278112.tif 000005
【図４】
2005278112.tif 000006
【図５】
2005278112.tif 000007